(57)【要約】【課題】腕帯の腕への装着性、血圧測定時の操作性、持ち運び時の利便性を向上させる血圧計の提供。【解決手段】上腕へ挿入される開口部３２を形成する腕帯２を有する測定ユニット３０と、制御部２０を有する本体部１０とを分離可能とし、前記測定ユニットに、前記上腕への挿入を補助する把持部３３と、血圧測定に係る動作を制御する制御部４０とを設けた。【選択図】      図１
2005334048.tif 000002
【特許請求の範囲】
【請求項１】
上腕へ挿入される開口部を形成する腕帯を有する測定ユニットと、制御部を有する本体部とを分離可能とし、
前記測定ユニットに、前記上腕への挿入を補助する把持部と、血圧測定に係る動作を制御する制御部とを設けたことを特徴とする血圧計。
【請求項２】
前記測定ユニットは前記腕帯に加圧エアを供給するエアタンク部を有し、
前記本体部は前記加圧エアを生成するポンプ部を有し、前記本体部の制御部は当該ポンプ部を制御することを特徴とする請求項１に記載の血圧計。
【請求項３】
前記測定ユニットは、電波時計と、被測定者ごとの識別情報、血圧測定日時情報、及び当該測定日時ごとの血圧値レンド情報を記憶する記憶部と、
前記情報を表示する表示部と、
外部機器に接続されて前記情報を通信する通信部と、を備えることを特徴とする請求項１又は２に記載の血圧計。
【請求項４】
前記本体部は前記測定ユニットを保持する保持部を有し、前記測定ユニットの被測定者に対する姿勢を調整可能な手段を備えることを特徴とする請求項１乃至３のいずれか１項に記載の血圧計。
【発明の詳細な説明】
【技術分野】
【０００１】
本発明は、上腕へ挿入する腕帯が予め所定形状を有し、被測定者の上腕に腕帯を巻き付ける必要がなく、左右いずれの上腕でも血圧測定が可能な血圧計に関する。
【背景技術】
【０００２】
従来、病院などに据え付けられた腕挿入型血圧計は、被測定者の一方（例えば、利き腕ではない方）の上腕を腕帯で形成された開口部に挿入し、他方の手で測定開始スイッチなどの操作部を操作して血圧を測定する。しかし、上記他方の腕が不自由であると、操作が極めて困難となる。
【０００３】
また、腕帯を巻き付けるタイプの血圧計において、当該腕帯と血圧計本体部とを分離独立させたものがある（例えば、特許文献１，２参照）。また、エアタンクを備えた血圧計も提案されている（例えば、特許文献３参照）。
【特許文献１】特開平５−５６９３８号公報
【特許文献２】特開平５−１３７６９７号公報
【特許文献３】特公平６−５７２００号公報
【発明の開示】
【発明が解決しようとする課題】
【０００４】
しかし、上記特許文献１では、腕帯自体の姿勢が不安定であるため、血圧測定時の操作性や持ち運び時の利便性に欠けるという問題がある。また、上記特許文献２では、片腕が不自由なときに腕帯を腕に巻き付けることが難しい。また、上記特許文献３であｈ、測定ユニットは分離されておらず、上腕への挿入が容易ではない。
【０００５】
本発明は、上記課題に鑑みてなされ、その目的は、腕帯の腕への装着性、血圧測定時の操作性、持ち運び時の利便性を向上させる血圧計を提供することである。
【課題を解決するための手段】
【０００６】
上述の課題を解決し、目的を達成するために、本発明の血圧計は、上腕へ挿入される開口部３２を形成する腕帯２を有する測定ユニット３０と、制御部２０を有する本体部１０とを分離可能とし、前記測定ユニットに、前記上腕への挿入を補助する把持部３３と、血圧測定に係る動作を制御する制御部４０とを設けた。
【０００７】
また、好ましくは、前記測定ユニットは前記腕帯に加圧エアを供給するエアタンク部５１を有し、前記本体部は前記加圧エアを生成するポンプ部１９を有し、前記本体部の制御部は当該ポンプ部を制御する。
【０００８】
また、好ましくは、前記測定ユニットは、電波時計を構成する時計用クロック回路４７，電波受信回路４８と、被測定者ごとの識別情報、血圧測定日時情報、及び当該測定日時ごとの血圧値レンド情報を記憶する記憶部４３と、前記情報を表示する表示部４４と、外部機器に接続されて前記情報を通信する通信部４５と、を備える。
【０００９】
また、好ましくは、前記本体部は前記測定ユニットを保持する保持部３を有し、前記測定ユニットの被測定者に対する姿勢を調整可能な手段１１，１２を備える。
【発明の効果】
【００１０】
以上説明したように、本発明によれば、上腕へ挿入される開口部を形成する腕帯を有する測定ユニットを血圧計本体部から分離独立させ、かつ測定ユニットに駆動部や制御部を設けたので、血圧計本体部を用いなくとも血圧測定ができ、測定場所を限定しないという効果がある。
【００１１】
また、測定ユニットに把持部を設けたので、腕帯に腕を装着する際の装着性、血圧測定時の操作性、持ち運び時の利便性を向上することができる。
【発明を実施するための最良の形態】
【００１２】
以下に、本発明の実施の形態について、添付図面を参照して詳細に説明する。
尚、以下に説明する実施の形態は、本発明の実現手段としての一例であり、本発明は、その趣旨を逸脱しない範囲で下記実施形態を修正又は変形したものに適用可能である。
［第１の実施形態］
図１は、本発明に係る第１の実施形態の血圧計の斜視図であり、（ａ）はカフユニットを血圧計本体部に保持した状態、（ｂ）はカフユニットを血圧計本体部から取り外した状態、（ｃ）はカフユニット単体での血圧測定状態をそれぞれ示している。図２は、本発明に係る第１の実施形態の血圧計の機能ブロック図である。
【００１３】
図１及び図２に示すように、本実施形態の血圧計１は、血圧測定時に上腕を圧迫する腕帯としてのカフ部２を有するカフユニット（測定ユニット）３０が、血圧計本体部１０の保持部３に対して着脱可能に分離独立して構成され、被測定者の上腕にカフ部２を巻き付ける必要がなく、左右いずれの上腕でも挿入が可能で、血圧測定が可能な血圧計である。また、カフユニット３０の外郭には、主電源のオン／オフ操作や血圧測定の開始／停止操作などの各種操作を行うための操作部４２と、測定結果などを表示する表示部４４が設けられている。
【００１４】
カフユニット３０の円筒状の外形を形成するハウジング３１には、被測定者の上腕を挿入するための開口部３２が設けられており、この開口部３２の内周面に可撓性の布袋やゴム袋からなるカフ部２が設けられている。また、カフユニット３０の外周面３１ａには、被測定者の上腕の挿入を補助する把持部３３が設けられ、この把持部３３により上腕へのカフ部２の挿入が容易にできるように構成されている。
【００１５】
血圧計本体部１０の保持部３は、カフユニット３０のハウジング３１の略円周状の外形に合うような凹状曲面を有し、血圧計本体部１０の保持部３とハウジング３１の外周面３１ａとには、カフユニット３０が保持部３に保持されたときに、血圧計本体１０のポンプ部からカフユニットに加圧エアを供給可能なように、両者が機械的に接続されるエア接続用アダプタ２３，３４が設けられている。
【００１６】
なお、血圧計本体部１０は、カフユニット３０の被測定者に対する姿勢を変更可能な手段を備える。具体的には、図３に示すように、血圧計本体部１０の底面部１０ａにおける後端部分の両側にねじ穴１１と当該ねじ穴１１に螺合する調整ねじ１２とを取り外し可能に設け、これら調整ねじ１２のねじ穴１１に螺合する深さを調節することで、血圧計本体部１０の支持面１３に対する傾斜角度θ（例えば、１０°〜１５°）を所定の範囲で設定できると共に、調整ねじ１２を取り外すことで支持面１３に対して水平な状態にできる。
【００１７】
また、血圧計本体部１０の保持部３とカフユニット３０のハウジング３１とが当接する部位に面ファスナーなどを設けることで、保持時の安定性が向上する。
【００１８】
上記カフユニット側の突出したパイプ状のエア接続用アダプタ３４はカフ部２の内部に連通し、血圧計本体側のエア接続用アダプタ２３は血圧計本体部１０のポンプ部１９に連通しており、上記アダプタ３４に嵌合するような穴部として形成されている。また、カフユニット３０と血圧計本体部１０とを通信可能に電気的に接続する電気的接続用アダプタ（或いは接点）２４，３５も併せて設けられている。そして、上記カフユニット側のアダプタ３４は、カフユニット３０を血圧計本体部１０の保持部３に保持するときに、腕の自重程度の押圧力で血圧計本体側のアダプタ２３に嵌合されて、適正なシール性を持って内部が連通された接続構造を実現する。両アダプタ２３，３４は樹脂などで構成され、図４に示すように、互いが当接する側面部に凹部又は凸部が形成され、端部にはゴムシール２３ａが設けられており、これらが（カフユニット３０を保持部３に装着する際に腕の自重を受けて）係合することでシール性を確保した状態で密接して不用意に外れないように不図示のロック機構によりロックされる。よって、血圧計本体部１０には、必要に応じてカフユニット３０を保持部３から取り外すためのリリースレバー７が設けられている。なお、適切な嵌合強度の設定により、リリースレバー７は不要にもできる。
【００１９】
図２に示すように、血圧計本体部１０には制御ユニット２０が搭載されている。この制御ユニット２０は、電気的な構成要素として、同ユニットに電力を供給するＡＣ或いはＤＣ（電池）電源部２１を備え、マイクロコンピュータ２９に接続されている。このマイクロコンピュータ２９には、ＣＰＵ、ＲＯＭ、ＲＡＭ、入出力インターフェース回路などが搭載されている。
【００２０】
また、血圧計本体部１０は、機械的な構成要素として、カフユニット３０に供給するための加圧エアを生成するポンプ部１９を備え、マイクロコンピュータ２９により駆動制御される。
【００２１】
本実施形態では、カフユニット３０にも制御ユニット４０が搭載されている。この制御ユニット４０は、電気的な構成要素として、同ユニットに電力を供給するＡＣ或いはＤＣ（電池）電源４１、制御ユニット４０の起動／停止や測定開始／停止などの各種操作を行うための操作部４２、複数回分の血圧測定値などを記憶する不揮発性メモリなどの記憶部４３、最高／最低血圧測定値、脈拍、時刻などを表示する液晶表示器などの表示部４４、パーソナルコンピュータ（ＰＣ）やプリンタなどの外部機器や、体温計、体重計、血糖値測定器、歩数計などの各測定機器に接続可能な外部接続部４５、演算用クロック回路４６、計時機能を有する時計用クロック回路４７、標準電波を受信するアンテナ、増幅や変調などの機能を持つ電波受信回路４８を備え、これら各要素がマイクロコンピュータ４９に接続されている。このマイクロコンピュータ４９には、ＣＰＵ、ＲＯＭ、ＲＡＭ、入出力インターフェース回路などが搭載されている。ここで、電波受信回路４８は、受信した標準電波を用いて時計用クロック回路４７により計時された時刻を補正し、常に正しい時刻を表示する。なお、時計は常時点灯若しくは使用時のみ点灯するよう制御される。また、制御ユニット４０は、外部接続部４５を介して各測定データをＰＣにダウンロードしたり、プリントアウトすることができる。
【００２２】
上記操作部４２としては、例えば、電源のオン／オフスイッチや血圧測定開始／停止スイッチの他、記憶データの呼出／取消スイッチ、トレンドグラフなどの表示切換スイッチ、スクロールスイッチが含まれる。なお、操作部４２は、カフユニット３０の把持部３３に設けてもよい。
【００２３】
更に、制御ユニット４０は、機械的な構成要素として、血圧測定開始時にカフ部２に加圧エアを送るエアタンク部５１、血圧計本体部１０のポンプ部１９からエアタンク部５１に通じる通路を開閉してエアタンク部５１に供給される加圧エア量を調整する弁５２Ａ、エアタンク部５１の下流側に設けられてエアタンク部５１から供給する加圧エア量を調整する弁５２Ｂ、、エアタンク部５１からカフ部２に供給される加圧エアの圧力を一定圧或いは急速排気により調整する減圧弁５３を備え、カフの圧力変動から血管の振動を検知する圧力センサ５４や血流音を検知するマイク部５５などの検知信号に基づいてマイクロコンピュータ４９により駆動制御される。なお、マイク部５５はカフ部２に内蔵されている。そして、圧力センサ５４の検知信号はフィルタ／アンプ部５６Ａ、マイク部５５の検知信号はフィルタ／アンプ部５６Ｂで夫々ノイズ成分のフィルタリングやフィルタリング後の信号成分を増幅してマイクロコンピュータ４９に入力される。また、血圧測定は、オシロメトリック法やコロトコフ音法が適用可能であり、前者の方法に従う場合にはマイク部４９は不要である。
【００２４】
カフユニット３０は、血圧計本体部１０に対して正しい位置に保持され、つまり機械的接続アダプタ２３，３４と電気的アダプタ２４，３５がそれぞれ接続された状態で、ポンプ部１９からエアタンク部５１に加圧エアが供給される。そして、エアタンク部５１に加圧エアがチャージされた後、弁３９が閉じられてエアの外部への漏れが阻止される。
【００２５】
エアタンク部５１に加圧エアがチャージされたカフユニット３０は、血圧計本体部１０に対して保持された状態（図１（ａ））と取り外した状態（図１（ｂ），（ｃ））のいずれにおいても血圧測定が可能となる。即ち、上記いずれの状態であっても、制御ユニット４０のマイクロコンピュータ４９は、ＲＯＭに記憶された血圧測定プログラムの手順に従って、制御ユニット４０の操作部４２からの操作信号を入力すると共に、センサ類５４，５５からの検知信号を入力して減圧弁５３の駆動信号を出力する一方、圧力センサ５４やマイク部５５の検知信号から血圧や脈拍などの測定値を決定し、これら測定値を記憶部４３に逐次記憶すると共に、表示信号に基づいて表示部４４を表示制御する。
【００２６】
制御ユニット４０の記憶部４３には、図５に例示するように、制御ユニット自身が保持する情報や他の測定機器から取得した情報として、例えば、被測定者ごとの識別番号などの識別情報Ｄ１、測定日時情報Ｄ２、血圧値（最高値／最低値）Ｄ３、脈拍数Ｄ４、体温Ｄ５、体重Ｄ６、血糖値Ｄ７、服用した降圧剤や特定保険用食品などの薬剤名Ｄ８、運動量（歩数）Ｄ９などがトレンド情報として記憶されている。そして、表示部５には、一定期間（例えば、１年間）に蓄積された測定日時（或いは、朝、昼、晩）ごとのトレンド情報がグラフなどで色分けされて表示される。
【００２７】
上記構成において、カフユニット３０を血圧計本体部１０から取り外すことができるように分離独立させ、カフユニット単体での血圧測定を可能としたので、血圧計本体部１０を用いなくとも血圧測定ができ、測定場所が本体部の設置場所に限定されることがなくなる。
【００２８】
また、カフユニット３０に把持部を設けたので、腕帯に腕を装着する際の装着性、血圧測定時の操作性、持ち運び時の利便性を向上することができる。
【００２９】
更に、予めカフユニット３０を血圧計本体部１０に装着した状態で上腕を挿入するような使い方も可能となり、カフユニット３０を片腕で挿入することができる。また、血圧計本体部１０に、測定結果を血圧手帳などにプリントアウトするためのプリンタや、血圧手帳やメモリーカードなどに血圧値のトレンド情報を読取り／書込みする機能を設けてもよい。
［第２の実施形態］
図６は、本発明に係る第２の実施形態の血圧計の機能ブロック図である。
【００３０】
図１に示す構成と異なる点は、図６に示すように、血圧計本体部１０に表示部２２や操作部２５を付加すると共に、カフユニット３０の表示部４４を廃止し、更に、カフユニット３０と血圧計本体部１０の各電気的接続用アダプタ２４，３５を廃止し、その代わりに両ユニットに通信部１８、３８を付加して赤外線や電波（例えば、Bluetooth）を用いた無線通信（例えば、Blue Tooth）を可能とした点にある。
【００３１】
この構成では、カフユニット３０単体での血圧測定はもちろんのこと、制御ユニット２０側でカフユニット３０を操作したり、測定結果を表示することが可能となり、カフ部２を装着した方の腕で操作が可能になる等、血圧測定時の操作性が更に向上する。
【００３２】
その他の構成については、図１及び図２と同一の機能を有する要素には同一の番号を付して説明を省略する。
［第３の実施形態］
図７は、本発明に係る第３の実施形態の血圧計の機能ブロック図である。
【００３３】
図１に示す構成と異なる点は、カフユニット３０の電源部４１及びフィルタ／アンプ部５６Ａ，５６Ｂを除く電気的構成要素を血圧計本体部１０に集約させると共に、ポンプ部５７をカフユニット側に設けてエア接続用アダプタ２３，３４を廃止した点にある。即ち、図７に示すように、カフユニット３０にはカフ部２（コロトコフ音法を適用する場合、電源部４１、マイク部５５内蔵）、ポンプ部５７、弁５２Ａ，５２Ｂ、エアタンク部５１、減圧弁５３、圧力センサ５４、フィルタ／アンプ部５６Ａ，５６Ｂが設けられ、これらの各要素が電気的接続用アダプタ２４，３５を介して血圧計本体部１０のマイクロコンピュータ２９に接続されている。
【００３４】
血圧計本体部１０には、電源部２１、表示部２２、操作部２５、記憶部２６、外部接続部３２、演算用クロック回路２７、計時機能を有する時計用クロック回路２８、標準電波を受信するアンテナ、増幅や変調などの機能を持つ電波受信回路１６、外部接続部１７を備え、これら各要素がマイクロコンピュータ２９に接続されている。
【００３５】
制御ユニット２０のマイクロコンピュータ２９は、ＲＯＭに記憶された血圧測定プログラムの手順に従って、カフユニット３０のポンプ部５７、弁５２、減圧弁５３、電源部４１を制御すると共に、圧力センサ５４やマイク部５５の検知信号から血圧や脈拍などの測定値を決定し、これら測定値を記憶部２６に逐次記憶すると共に、表示信号に基づいて表示部２２を表示制御する。
【００３６】
なお、上記構成の場合には、カフユニット３０は血圧計本体部１０に保持された状態で血圧測定等がなされる。
【００３７】
その他の構成については、図１及び図２と同一の機能を有する要素には同一の番号を付して説明を省略する。
【図面の簡単な説明】
【００３８】
【図１】本発明に係る第１の実施形態の血圧計の斜視図であり、（ａ）はカフユニットを血圧計本体部に保持した状態、（ｂ）はカフユニットを血圧計本体部から取り外した状態、（ｃ）はカフユニット単体での血圧測定状態を示す図である。
【図２】本発明に係る第１の実施形態の血圧計の機能ブロック図である。
【図３】血圧計本体部の角度調整機構を拡大して示す部分断面図（ａ）及び側面図（ｂ）である。
【図４】エア接続用アダプタの接続構造を拡大して示す断面図である。
【図５】記憶部に記憶した情報を例示する図である。
【図６】本発明に係る第２の実施形態の血圧計の機能ブロック図である。
【図７】本発明に係る第３の実施形態の血圧計の機能ブロック図である。
【符号の説明】
【００３９】
１  血圧計
２  カフ部
３  保持部
７  リリースレバー
１０  血圧計本体部
１１  ねじ穴
１２  調整ねじ
１３  支持面
１６，４８  電波受信回路
１７，４５  外部接続部
１８，３８  通信部
１９，５７  ポンプ部
２０，４０  制御ユニット
２１，４１  電源部
２２，４４  表示部
２３，３４  エア接続用アダプタ
２４，３５  電気的接続用アダプタ
２５，４２  操作部
２６，４３  記憶部
２７，４６  演算用クロック回路
２８，４７  時計用クロック回路
２９，４９  マイクロコンピュータ
３０  カフユニット
３１  ハウジング
３２  開口部
３３  把持部
５１  エアタンク部
５２Ａ，５２Ｂ  弁
５３  減圧弁
５４  圧力センサ
５５  マイク部
５６Ａ，５６Ｂ  フィルタ／アンプ部
【図１】
2005334048.tif 000003
【図２】
2005334048.tif 000004
【図３】
2005334048.tif 000005
【図４】
2005334048.tif 000006
【図５】
2005334048.tif 000007
【図６】
2005334048.tif 000008
【図７】
2005334048.tif 000009